(57)【要約】【課題】      ハードコンタクトレンズを傷つけたり破損させることなく洗浄することができるハードコンタクトレンズ洗浄用補助具を提供すること。【解決手段】    ハードコンタクトレンズの保存容器５０を保持する保持部１１と、この保持部１１に保存容器５０を保持させた状態で当該保存容器５０の縦軸線と直角な方向の軸線Ｚを中心として回転可能な回転駆動部２１とを備えた構成とする。これにより、ハードコンタクトレンズＣを保存容器５０内に入れたままで汚れを綺麗に洗い落とせる。【選択図】      図１
0003136799.tif 000002
【実用新案登録請求の範囲】
【請求項１】
本体内に入れられた洗浄液中にハードコンタクトレンズを浸して保存可能な保存容器を保持する保持部と、この保持部に前記保存容器を保持させた状態で当該保持部を当該保存容器の縦軸線と直角な方向の軸線を中心として回転可能な回転駆動部とを備えたハードコンタクトレンズ洗浄用補助具。
【請求項２】
前記保持部が磁気吸引を利用して前記保存容器を保持する構成とされた請求項１記載のハードコンタクトレンズ洗浄用補助具。
【請求項３】
前記回転駆動部が電気駆動されて前記保持部を回転する構成とされた請求項１又は２記載のハードコンタクトレンズ洗浄用補助具。
【請求項４】
前記保存容器内のハードコンタクトレンズの近傍に汚れ吸着フィルタを設けたことを特徴とする請求項１〜３のうちのいずれか１項のハードコンタクトレンズ洗浄用補助具。
【考案の詳細な説明】
【技術分野】
【０００１】
本考案は、ハードコンタクトレンズ（視力補正用レンズ）の洗浄用補助具に関する。
【背景技術】
【０００２】
現在、日本でコンタクトレンズ（視力補正用レンズ）の使用者は、約１５００万人といわれている。このコンタクトレンズは、眼の角膜の上に直接乗せ接触させて使用者の視力を補正するものである。コンタクトレンズには、その材質によって大別してハードコンタクトレンズとソフトコンタクトレンズとに大別される。
【０００３】
ハードコンタクトレンズは汚れていると、視界の鮮明さが失われる。又、角膜に異常が起これば装着できなくなるために、日頃の手入れが大切となる。
【０００４】
就寝する前にはハードコンタクトレンズを眼から外し、保存容器内に入れておくのが推奨されている（例えば、非特許文献１参照）。通常、保存容器５０は、図５に示すように、全体円柱形とされており、円筒形の本体５１と、当該本体５１の両端に脱着可能に設けられた蓋（５３Ａ，５３Ｂ）と、当該各蓋（５３Ａ，５３Ｂ）内にそれぞれ設けられたレンズ保持部５７とから構成されている。なお、本体５１の中央部分に仕切り壁５２が設けられていることが多い。仕切り壁５２には貫通穴が開けられている場合がある。また、保存容器５０の本体５１は、透明プラスチック製とされていることが多い。
【０００５】
この保存容器５０を使ってハードコンタクトレンズＣを保存する場合には、図６（Ａ）に示すように、一方の蓋５３Ａのレンズ保持部５７にハードコンタクトレンズＣを保持させ、その状態で当該蓋５３Ａを本体５１に装着する。次に、同図（Ｂ）に示すように、他方の蓋５３Ｂのレンズ保持部５７にもハードコンタクトレンズＣを保持させ、当該蓋５３Ｂを本体５１に装着する前に、当該本体５１内に洗浄液を７〜８分目程入れ、その後に蓋５３Ｂを装着する。これにより、ハードコンタクトレンズＣは洗浄液に浸された状態で保存されることになる。
【０００６】
次に、起床してハードコンタクトレンズＣを眼につける場合には、保存容器５０を洗面台のところまで持って行き、蓋（５３Ａ，５３Ｂ）を片方ずつ外してハードコンタクトレンズＣを１つづつ容器５０から取り出し、水道から水を出しながら指の腹でハードコンタクトレンズＣをよく擦って汚れ（たんぱく質など）を洗い落とす。このような、擦り洗いを両方のハードコンタクトレンズＣに施した後に眼に装着する。
【非特許文献１】コンタクトレンズ診療最前線（金原出版株式会社  2000年1月20日発行  改訂第２版）の第５２〜５６頁
【考案の開示】
【考案が解決しようとする課題】
【０００７】
ところで、上記したようにハードコンタクトレンズＣを指で擦り洗いして汚れを除去する際に、擦りかたが弱いと汚れが落ちにくい。反対に強く擦り洗いすぎるとレンズに傷がついたり破損しやすい。また、擦り洗いの際にレンズＣが指から落ちて行方不明となってしまったり、落ちた際にレンズが破損してしまうことがある。
【０００８】
本考案の目的は、上記事情に鑑み、ハードコンタクトレンズを傷つけたり破損させることなく綺麗に洗浄することができるハードコンタクトレンズ洗浄用補助具を提供することにある。
【課題を解決するための手段】
【０００９】
請求項１の考案は、本体内に入れられた洗浄液中にハードコンタクトレンズを浸して保存可能な保存容器を保持する保持部と、この保持部に前記保存容器を保持させた状態で当該保持部を当該保存容器の縦軸線と直角な方向の軸線を中心として回転可能な回転駆動部とを備えたハードコンタクトレンズ洗浄用補助具である。
【００１０】
上記請求項１の考案の場合、回転駆動部を作動させれば、保存容器はその縦軸線と直角な方向の軸線を中心として回転する。この際、保存容器内の洗浄液は回転の衝撃で泡立ってハードコンタクトレンズと激しく接触しながら相対移動する。これによって、ハードコンタクトレンズは、保存容器内で洗浄液によって汚れが洗い流されることになる。したがって、従来のようにハードコンタクトレンズを指で擦り洗いする必要がなく、ハードコンタクトレンズを傷つけたり破損させることなく綺麗に洗浄することができる。
【００１１】
請求項２の考案は、前記保持部が磁気吸引を利用して前記保存容器を保持する構成とされた請求項１記載のハードコンタクトレンズ洗浄用補助具である。
【００１２】
上記請求項２の考案の場合、請求項１の考案の場合と同様な作用効果を奏する他、加えて、何らかの原因で回転が急に止められても回転駆動部や保存容器に強い衝撃力が掛からず、本洗浄用補助具や保存容器の故障や破損を免れる。
【００１３】
請求項３の考案は、前記回転駆動部が電気駆動されて前記保持部を回転する構成とされた請求項１又は２記載のハードコンタクトレンズ洗浄用補助具である。
【００１４】
上記請求項３の考案の場合、請求項１又は２の考案の場合と同様な作用効果を奏する他、制御（例えばタイマー設定等）が一段と行いやすくなる。
【００１５】
請求項４の考案は、前記保存容器内のハードコンタクトレンズの近傍に汚れ吸着フィルタを設けたことを特徴とする請求項１〜３のうちのいずれか１項のハードコンタクトレンズ洗浄用補助具である。
【００１６】
上記請求項４の考案の場合、請求項１〜３のいずれかの場合と同様な作用効果を奏する他、ハードコンタクトレンズから遊離したタンパク質などの汚れが戻りにくく一段と綺麗に洗浄できる。
【考案の効果】
【００１７】
請求項１の考案によれば、ハードコンタクトレンズの保存容器を保持する保持部と、この保持部を上記保存容器の縦軸線と直角な方向の軸線を中心として回転可能な回転駆動部とを備えたので、ハードコンタクトレンズを保存容器内いに入れたままで汚れを洗い落とせる。したがって、ハードコンタクトレンズを傷つけたり破損させることなく綺麗に洗浄することができる。
【００１８】
また、請求項２の考案によれば、請求項１と同様な効果を奏する他、加えて、何らかの原因で回転が急に止められても本ハードや保存容器の故障や破損を免れる。
【００１９】
また、請求項３の考案によれば、請求項１又は２と同様な効果を奏する他、加えて、制御（例えばタイマー設定等）が一段と行いやすくなる。
【００２０】
また、請求項４の考案によれば、加えて、前記保存容器内のハードコンタクトレンズの近傍に汚れ吸着フィルタを設けたので、請求項１〜３のいずれかの場合と同様な作用効果を奏する他、ハードコンタクトレンズから遊離したタンパク質などの汚れが戻りにくく一段と綺麗に洗浄できる。
【考案を実施するための最良の形態】
【００２１】
以下、本考案の実施の形態を図面に基づき説明する。
【００２２】
本考案に係るハード１は、図１に示すように、ハードコンタクトレンズＣの保存容器５０を保持する保持部１１と、この保持部１１に保存容器５０を保持させた状態で当該保存容器５０の縦軸線と直角な方向の軸線Ｚを中心として回転可能な回転駆動部２１とを備えた構成とされている。
【００２３】
以下、本ハード１の構成要素を詳しく説明する。
【００２４】
まず、保持部１１は、ハードコンタクトレンズＣの保存容器５０を保持するもので、この実施形態では円板１２と把持部１４とから形成されている。円板１２は、装置本体２に軸線Ｚを中心として回転可能に設けられている。この実施形態では、把持部１４は、円板１２の中央部分に設けられた４つの半円弧形状のプラスチック製のピース１４aから成り、それらの弾性復元力で保存容器５０の本体５１を把持するものである。なお、例えば、図４に示すように、把持部１４を円板１２の中央部分に幅広形状に形成し、その弾性復元力で保存容器５０の本体５１を把持する構成としてもよい。
【００２５】
なお、上記保持部１４を磁気吸着を利用して保存容器５０を保持する構成としてもよい。例えば、円板１２の中央部分に鉄板を貼着し、保存容器５０の本体５１の中央部分にマグネットを埋め込んでおく。これにより、保存容器５０は、円板１２の中央部分に磁気吸着されて当該円板１２と一緒に回転させることができる。このような構成にすることにより、何らかの原因で回転が急に止められても回転駆動部２１や保存容器５０には強い衝撃力が掛からない。そのため、本ハード１や保存容器５０の故障や破損を免れる。また、保存容器５０は、その基本的な構成が図５に示す従来例と同様であるので、その詳細は省略する。
【００２６】
次に、回転駆動部２１は、保持部１１に保存容器５０を保持させた状態で軸線Ｚを中心として回転可能に構成されている。この実施形態では、回転駆動部２１は、図２に示すように、電気モータ２３と、この電気モータ２３に接続されかつ当該モータ２３の回転を減速して保持部１１へ伝える減速機構２５とから構成されている。なお、回転駆動部２１は、保持部１１の円板１２を１０秒間に４，５程度のゆっくりとした速さで回転させる構成とされている。このように、この実施形態では、回転駆動部２１を電気の力で保持部１１を回転させる構成としたが、保存容器５０を保持させた状態で軸線Ｚを中心として回転させることができれば如何なる構成でもよい。例えば、センマイで保持部１１を回転駆動させる構成でもよい。また、手動で保持部１１を回転駆動させる構成でもよい。
【００２７】
上記構成の本コンタクトレンズ洗浄用補助具１の場合、回転駆動部２１を作動させれば、保存容器５０は軸線Ｚを中心として回転する。この際、保存容器５０内の洗浄液は回転の衝撃で泡立ってハードコンタクトレンズＣと激しく接触しながら相対移動する。これによって、ハードコンタクトレンズＣは、保存容器５０内で洗浄液によって汚れが洗い流されることになる。したがって、従来のようにハードコンタクトレンズＣを指で擦り洗いする必要がなく、ハードコンタクトレンズＣを傷つけたり破損させることなく綺麗に洗浄することができる。
【００２８】
また、保存容器５０を磁気吸引と利用して保存容器５０を保持する構成としたので、何らかの原因で保存容器５０の回転が急に止められても本洗浄用補助具１や保存容器５０の故障や破損を免れることができる。
【００２９】
また、この実施形態では、回転駆動部２１を電気駆動によって保持部１１を回転させる構成としたので、制御（例えばタイマー設定等）が一段と行いやすくなる。
【００３０】
また、図３に示すように、保存容器５０の両蓋（５３Ａ，５３Ｂ）の内側に汚れ吸着フィルタ５９を装着しておけば、保存容器５０が回転の結果、当該容器５０内のハードコンタクトレンズＣから遊離したタンパク質などの汚れが戻りにくく一段と綺麗に洗浄できる。なお、汚れ吸着フィルタ５９は、円環状とされており、その１箇所に半径方向に切り込みが入れられており、その切り込み部分を割ってレンズ保持部５７の軸部分に巻き付くように装着されている。
【００３１】
また、本ハードコンタクトレンズ洗浄用補助具１にヒーター温度調整手段を付ければ（例えば保持部１４の円板１２にヒーターを設ける）、冬季や寒冷地でもコンタクトレンズＣの汚れを一層迅速に除去することができる。
【図面の簡単な説明】
【００３２】
【図１】本考案に係るハードコンタクトレンズ洗浄用補助具を説明するための正面図である。
【図２】本考案に係るハードコンタクトレンズ洗浄用補助具を説明するための側面図である。
【図３】ハードコンタクトレンズの保存容器に装着した汚れ吸着フィルタを説明するための図である。
【図４】本洗浄用補助具の保持部の変形例を説明するための図である。
【図５】ハードコンタクトレンズの保存容器を説明するための縦断面図である。
【図６】保存容器の使い方を説明するための図である。
【符号の説明】
【００３３】
１    ハードコンタクトレンズ洗浄用補助具
２    装置本体
１１    保持部
１２    円板
１４    把持部
２１    回転駆動部
２３    電気モータ
２５    原則機構
５０    保存容器
５１    本体
５２    仕切り壁
５３Ａ，５３Ｂ    蓋
５７    レンズ保持部
５９    汚れ吸着フィルタ
【図１】
0003136799.tif 000003
【図２】
0003136799.tif 000004
【図３】
0003136799.tif 000005
【図４】
0003136799.tif 000006
【図５】
0003136799.tif 000007
【図６】
0003136799.tif 000008